【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
動画において、主被写体と判定された被写体が出現したフレーム画像を特定する情報である主被写体情報を取得する取得手段と、
前記動画において、主被写体と判定された被写体が同一であり、該主被写体が連続して存在する区間のそれぞれから、前記主被写体情報に基づいて、各区間における主被写体が存在しているフレーム画像を抽出する抽出手段と、
前記抽出手段で抽出した複数のフレーム画像を時間順に並べて表示手段に表示するように制御する表示制御手段と
を有することを特徴とする動画再生装置。
【請求項２】
前記抽出手段は、主被写体と判定された被写体が同一であり、該主被写体が連続して存在する区間のそれぞれにおける主被写体以外の被写体に基づいたフレーム画像の抽出はしないことを特徴とする請求項１に記載の動画再生装置。
【請求項３】
前記抽出手段は、前記各区間から１つずつのフレーム画像を抽出することを特徴とする請求項１又は２に記載の動画再生装置。
【請求項４】
前記抽出手段は、前記各区間における最初のフレーム画像を抽出することを特徴とする請求項１乃至３の何れか１項に記載の動画再生装置。
【請求項５】
前記表示手段で表示された複数のフレーム画像のうちの何れかがユーザーに指定されることに応じて、指定されたフレーム画像の位置から前記動画を再生することを特徴とする請求項１乃至４の何れか１項に記載の動画再生装置。
【請求項６】
前記表示制御手段は、第１のモードでは、前記抽出手段で抽出した複数のフレーム画像を時間順に並べて表示するように制御し、第２のモードでは、前記動画から所定時間間隔で抽出した複数のフレーム画像を時間順に並べて表示するように制御することを特徴とする請求項１乃至５の何れか１項に記載の動画再生装置。
【請求項７】
前記表示制御手段は、第３のモードでは、主被写体であるか否かに関わらず、前記動画から検出された被写体のそれぞれが出現したフレーム画像である複数のフレーム画像を時間順に並べて表示するように制御することを特徴とする請求項６に記載の動画再生装置。
【請求項８】
前記表示制御手段は、前記抽出手段で抽出した複数のフレーム画像を時間順に並べて表示するとともに、前記動画を代表する１枚の代表画像を表示するように制御することを特徴とする請求項１乃至７の何れか１項に記載の動画再生装置。
【請求項９】
前記主被写体は、フレーム画像から検出された少なくとも１つの被写体のうち、所定の条件に基づいて１つに特定される被写体であることを特徴とする請求項１乃至８の何れか１項に記載の動画再生装置。
【請求項１０】
前記所定の条件は、前記検出された被写体のフレーム画像における位置又は大きさの少なくとも一方に基づく条件であることを特徴とする請求項９に記載の動画再生装置。
【請求項１１】
前記所定の条件は、ユーザー操作に応じて指定されることを特徴とする請求項９に記載の動画再生装置。
【請求項１２】
前記取得手段は更に、顔が検出されたフレーム画像を特定する情報を取得し、
前記抽出手段は、前記取得手段で取得した情報に基づいて、顔が検出されたフレーム画像が、主顔が出現したフレーム画像であるか否かを判定し、顔が検出されたフレーム画像のうち、主顔が出現したフレーム画像でないと判定されたフレーム画像は抽出せず、前記主顔が出現したフレーム画像であると判定されたフレーム画像を抽出することを特徴とする請求項１乃至１１の何れか１項に記載の動画再生装置。
【請求項１３】
動画を解析し特定の被写体を検出する被写体検出手段と、
前記被写体検出手段で検出した被写体を主被写体とするか否かを特定の条件に基づいて判定する判定手段と、
前記被写体検出手段での検出結果及び前記判定手段での判定結果に基づいて、前記動画において前記主被写体情報を前記動画の管理情報として記録する記録制御手段と
を更に有することを特徴とする請求項１乃至１２の何れか１項に記載の動画再生装置。
【請求項１４】
前記特定の被写体は人物の顔であることを特徴とする請求項１３に記載の動画再生装置。
【請求項１５】
前記動画再生装置は、撮像手段を有する撮像装置であることを特徴とする請求項１乃至１４の何れか１項に記載の動画再生装置。
【請求項１６】
動画において、主被写体と判定された被写体が出現したフレーム画像を特定する情報である主被写体情報を取得する取得ステップと、
前記動画において、主被写体と判定された被写体が同一であり、該主被写体が連続して存在する区間のそれぞれから、前記主被写体情報に基づいて、各区間における主被写体が存在しているフレーム画像を抽出する抽出ステップと、
前記抽出ステップで抽出した複数のフレーム画像を時間順に並べて表示手段に表示するように制御する表示制御ステップと
を有することを特徴とする動画再生装置の制御方法。
【請求項１７】
動画を解析し特定の被写体を検出する被写体検出手段と、
前記被写体検出手段で検出した被写体を主被写体とするか否かを特定の条件に基づいて判定する判定手段と、
前記被写体検出手段での検出結果及び前記判定手段での判定結果に基づいて、前記動画において前記主被写体が出現するフレーム画像を特定する情報を前記動画の管理情報として記録する記録制御手段と
を有することを特徴とする動画管理装置。
【請求項１８】
動画を解析し特定の被写体を検出する被写体検出ステップと、
前記被写体検出ステップで検出した被写体を主被写体とするか否かを特定の条件に基づいて判定する判定ステップと、
前記被写体検出ステップでの検出結果及び前記判定ステップでの判定結果に基づいて、前記動画において前記主被写体が出現するフレーム画像を特定する情報を前記動画の管理情報として記録する記録制御ステップと
を有することを特徴とする動画管理装置の制御方法。
【請求項１９】
コンピュータを請求項１乃至１５の何れか１項に記載の動画再生装置の各手段として機能させるためのプログラム。
【請求項２０】
コンピュータを請求項１乃至１５の何れか１項に記載の動画再生装置の各手段として機能させるためのプログラムを格納したコンピュータ読み取り可能な記録媒体。
【請求項２１】
コンピュータを請求項１７に記載の動画管理装置の各手段として機能させるためのプログラム。
【請求項２２】
コンピュータを請求項１７に記載の動画管理装置の各手段として機能させるためのプログラムを格納したコンピュータ読み取り可能な記録媒体。
【手続補正２】
【補正対象書類名】明細書
【補正対象項目名】発明の名称
【補正方法】変更
【補正の内容】
【発明の名称】動画再生装置及びその制御方法、動画管理装置及びその制御方法
【手続補正３】
【補正対象書類名】明細書
【補正対象項目名】０００１
【補正方法】変更
【補正の内容】
【０００１】
本発明は、動画再生装置及びその制御方法、動画管理装置及びその制御方法に関し、動画像において所望のシーンの検索性を向上させるための技術に関する。
【手続補正４】
【補正対象書類名】明細書
【補正対象項目名】０００６
【補正方法】変更
【補正の内容】
【０００６】
本発明に係る動画再生装置は、動画において、主被写体と判定された被写体が出現したフレーム画像を特定する情報である主被写体情報を取得する取得手段と、前記動画において、主被写体と判定された被写体が同一であり、該主被写体が連続して存在する区間のそれぞれから、前記主被写体情報に基づいて、各区間における主被写体が存在しているフレーム画像を抽出する抽出手段と、前記抽出手段で抽出した複数のフレーム画像を時間順に並べて表示手段に表示するように制御する表示制御手段とを有することを特徴とする。
【手続補正５】
【補正対象書類名】明細書
【補正対象項目名】０００７
【補正方法】変更
【補正の内容】
【０００７】
本発明によれば、異なる被写体が多く出現するようなシーンを含む動画像であっても主被写体が含まれるシーンの検索性が向上する。
【手続補正６】
【補正対象書類名】明細書
【補正対象項目名】００１０
【補正方法】変更
【補正の内容】
【００１０】
図１は、本発明の一実施形態における動画再生装置としての画像再生装置及び動画管理装置としての画像記録装置が適用された撮像装置（デジタルビデオカメラ）の構成例を示すブロック図である。図１において、レンズユニット１０１は、集光のための固定レンズ群、変倍レンズ群、絞り、及び補正レンズ群により構成される。補正レンズ群は、変倍レンズ群の動きで移動した結像位置を補正する機能と焦点調節を行う機能とを有する。被写体像は、レンズユニット１０１によって撮像素子１０２の結像面上に結像される。撮像素子１０２は、光を電荷に変換し撮像信号を生成する。カメラ信号処理部１０３は、撮像信号に所定の信号処理を施してデジタル画像データとして出力する。